(57)【特許請求の範囲】
【請求項１】
電源が接続される入力端子に接続されるバイパス配線と、上記入力端子に入力される電力を、ＡＣ／ＤＣコンバータおよびオンライン配線を介して供給されるＤＣ／ＡＣインバータとの中の一方を選択して、負荷機器が接続される出力端子へ接続する二入力スイッチと、蓄電部材を上記オンライン配線に接続するオン／オフスイッチとを有し、当該電源の異常時には内部に設けられた上記蓄電部材からの電力を上記負荷機器に供給する無停電電源装置と、
当該無停電電源装置に入力される電力あるいは出力される電力を時刻情報とともに蓄積する蓄積手段と、
当該蓄積手段にて蓄積されたデータを所定の期間を基準として解析し、消費電力が発生している時間帯には、上記二入力スイッチにより上記ＤＣ／ＡＣインバータを選択するとともに上記オン／オフスイッチを閉じて上記蓄電部材を上記オンライン配線に接続するオンライン運転モードを設定し、更にその消費電力が発生している時間帯の中であって且つ負荷機器の消費電力が低く安定している期間には、上記二入力スイッチにより上記ＤＣ／ＡＣインバータを選択するとともに上記オン／オフスイッチを開いた高効率運転モードを設定する解析手段と、を備え、
上記無停電電源装置は、当該解析手段により設定されたモードのデータに基づいて、時間帯別に異なるモードで動作することを特徴とする無停電電力供給システム。
【請求項２】
電源と負荷機器との間に接続され、当該電源の異常時には内部に設けられた蓄電部材からの電力を上記負荷機器に供給する無停電電源装置と、
当該無停電電源装置に入力される電力あるいは出力される電力を時刻情報とともに蓄積する蓄積手段と、
当該蓄積手段にて蓄積されたデータを所定の期間を基準として解析し、入力電圧が一般的な商用電力の電圧よりも恒常的に高くなる時間帯があると判断した場合には、その期間における電圧異常検出範囲をその他の時間帯よりも高めに設定し、あるいは、入力電圧が恒常的に低くなる時間帯があると判断した場合には、その期間における電圧異常検出範囲を低めに設定する解析手段と、を備え、
上記無停電電源装置は、当該解析手段により設定された時間帯の電圧異常検出範囲の検出値に基づいて、時間帯別に異なる電圧範囲を異常と判断することを特徴とする無停電電力供給システム。
【請求項３】
電源が接続される入力端子に接続されるバイパス配線と、上記入力端子に入力される電力を、ＡＣ／ＤＣコンバータおよびオンライン配線を介して供給されるＤＣ／ＡＣインバータとの中の一方を選択して、負荷機器が接続される出力端子へ接続する二入力スイッチと、蓄電部材を上記オンライン配線に接続するオン／オフスイッチとを有し、当該電源の異常時には内部に設けられた上記蓄電部材からの電力を上記負荷機器に供給する無停電電源装置に対して設定する、設定データを生成する設定プログラムであって、
当該無停電電源装置に入力される電力あるいは出力される電力を時刻情報とともにデータ記憶部にログデータとして蓄積するステップと、
当該データ記憶部のログデータを所定の期間を基準として解析し、消費電力が発生している時間帯には、上記二入力スイッチにより上記ＤＣ／ＡＣインバータを選択するとともに上記オン／オフスイッチを閉じて上記蓄電部材を上記オンライン配線に接続するオンライン運転モードを設定し、更にその消費電力が発生している時間帯の中であって且つ負荷機器の消費電力が低く安定している期間には、上記二入力スイッチにより上記ＤＣ／ＡＣインバータを選択するとともに上記オン／オフスイッチを開いた高効率運転モードを設定するステップと、
を備えることを特徴とする設定プログラム。
【請求項４】
電源と負荷機器との間に接続され、当該電源の異常時には内部に設けられた蓄電部材からの電力を上記負荷機器に供給する無停電電源装置に対して設定する、設定データを生成する設定プログラムであって、
当該無停電電源装置に入力される電力あるいは出力される電力を時刻情報とともにデータ記憶部にログデータとして蓄積するステップと、
当該データ記憶部のログデータを所定の期間を基準として解析し、入力電圧が一般的な商用電力の電圧よりも恒常的に高くなる時間帯があると判断した場合には、その期間における電圧異常検出範囲をその他の時間帯よりも高めに設定し、あるいは、入力電圧が恒常的に低くなる時間帯があると判断した場合には、その期間における電圧異常検出範囲を低めに設定するステップと、
を備えることを特徴とする設定プログラム。
【請求項５】
電源が接続される入力端子に接続されるバイパス配線と、上記入力端子に入力される電力を、ＡＣ／ＤＣコンバータおよびオンライン配線を介して供給されるＤＣ／ＡＣインバータとの中の一方を選択して、負荷機器が接続される出力端子へ接続する二入力スイッチと、蓄電部材を上記オンライン配線に接続するオン／オフスイッチとを有し、当該電源の異常時には内部に設けられた上記蓄電部材からの電力を上記負荷機器に供給する無停電電源装置に対して設定する、設定データを生成する設定プログラムを記録したコンピュータ読取可能な記録媒体であって、
上記無停電電源装置から送信された入力電力あるいは出力電力に関するデータを時刻情報とともにデータ記憶部にログデータとして蓄積するステップと、
当該データ記憶部のログデータを所定の期間を基準として解析し、上記データ記憶部に、消費電力が発生している時間帯には、上記二入力スイッチにより上記ＤＣ／ＡＣインバータを選択するとともに上記オン／オフスイッチを閉じて上記蓄電部材を上記オンライン配線に接続するオンライン運転モードを記憶させ、更にその消費電力が発生している時間帯の中であって且つ負荷機器の消費電力が低く安定している期間には、上記二入力スイッチにより上記ＤＣ／ＡＣインバータを選択するとともに上記オン／オフスイッチを開いた高効率運転モードを記憶させるステップと、
当該データ記憶部から当該設定データを読出し、これを上記無停電電源装置へ送信するステップと、を備えることを特徴とする記録媒体。
【請求項６】
電源と負荷機器との間に接続され、当該電源の異常時には内部に設けられた蓄電部材からの電力を上記負荷機器に供給する無停電電源装置に対して設定する、設定データを生成する設定プログラムを記録したコンピュータ読取可能な記録媒体であって、
上記無停電電源装置から送信された入力電力あるいは出力電力に関するデータを時刻情報とともにデータ記憶部にログデータとして蓄積するステップと、
当該データ記憶部のログデータを所定の期間を基準として解析し、上記データ記憶部に、入力電圧が一般的な商用電力の電圧よりも恒常的に高くなる時間帯があると判断した場合には、その期間における電圧異常検出範囲をその他の時間帯よりも高めに設定することを記憶させ、あるいは、入力電圧が恒常的に低くなる時間帯があると判断した場合には、その期間における電圧異常検出範囲を低めに設定することを記憶させるステップと、
当該データ記憶部から当該設定データを読出し、これを上記無停電電源装置へ送信するステップと、を備えることを特徴とする記録媒体。
【発明の詳細な説明】
【０００１】
【発明の属する技術分野】
本発明は、電源と負荷機器との間に配設される無停電電源装置を備える無停電電力供給システム、並びに、設定プログラムおよびこれを記録したコンピュータ読取可能な記録媒体に係り、特に、無停電電源装置に対する各種の設定データを自動的に生成し、これにより各ユーザに対するサービスを向上させるための発明に関する。
【０００２】
【従来の技術】
図４は、従来の無停電電力供給システムの一例を示すシステム構成図である。
【０００３】
従来の無停電電力供給システムは、電源としての商用交流電源５０と、負荷機器５１と、これらの間の電力供給経路上に配設された無停電電源装置５２と、を備える。
【０００４】
無停電電源装置５２は、入力端子５３からバイパス配線５４および二入力スイッチ５５を介して出力端子５６に至る商用電力供給経路と、バッテリ５７からＤＣ／ＡＣインバータ５８および二入力スイッチ５５を介して出力端子５６に至る蓄電電力供給経路と、を備え、マイクロコンピュータ５９は、入力電圧などを監視して二入力スイッチ５５へ制御信号を出力することで、電源異常時には商用電力供給経路から蓄電電力供給経路へ切り替える制御を行っている。なお、ＡＣ／ＤＣコンバータ６０は、バッテリ５７を商用交流電源５０で充電するために設けられている。
【０００５】
そして、この無停電電源装置５２においてマイクロコンピュータ５９は、通常、商用電力供給経路を選択するように二入力スイッチ５５へ制御信号を出力し、商用交流電源５０の電力を負荷機器５１へ供給する。また、商用交流電源５０などに異常が発生すると、マイクロコンピュータ５９はこの異常を入力電圧などによって検出し、二入力スイッチ５５に対して蓄電電力供給経路へ切り替える制御信号を出力する。
【０００６】
このように無停電電源装置５２を設置することで、負荷機器５１に対して安定した電力を供給することができる。
【０００７】
【発明が解決しようとする課題】
しかしながら、この無停電電源装置５２は、図４にも示すように、その機能を実現するために、ＤＣ／ＡＣインバータ５８やマイクロコンピュータ５９などの必須の回路が設けられており、当然にそれらの回路は恒常的に電力を消費してしまう。
【０００８】
また、工場内発電所などを電源とする場合、電力会社が提供する商用交流電力とは異なり、負荷機器５１の数の増減などによって、交流電力の電圧や周波数が変動し易い。特に、負荷が所定の状態で稼動している状態を前提として設計された工場内発電所から供給される夜間電力は、図５に示すように、夜間においてはその負荷状態が昼間とは大きく異なるために、その電圧などが一般的な商用電源の規格以上に上昇してしまうことがある。
【０００９】
そして、このような異常高電圧状態になってしまうと、一般的な商用交流電源の規格を前提として供給されている無停電電源装置５２では、電源異常と判断し、負荷機器５１へ供給する電力をバッテリ５７の蓄電電力に切替えてしまうことになる。
【００１０】
なお、図５において、ハッチングを施した部分が入力電圧の許容範囲であり、実線の波形は、工場の稼動停止に応じた入力電圧波形である。ここでは、夜間において当該入力電圧が入力電圧の許容範囲の上限レベル異常となっており、この期間に無停電電源装置５２は蓄電電力を負荷機器５１に供給してしまうことになる。
【００１１】
このような電源が正常な状態における蓄電電力への無駄な切替えは把握され難く、たとえば、毎晩のように繰り返される蓄電電力への切替えによりバッテリ５７が予想よりも早く劣化し、その劣化後の停電時に無停電電源装置５２が規格どおりの動作をしなかったことで初めて認識されることが多い。これでは、せっかく無停電電源装置５２を導入したとしても、必要なときに十分な機能を保証することができなくなってしまう。
【００１２】
このため、無停電電源装置５２の蓄電電力に切り替えるための検出電圧範囲の設定などを、ユーザ自身がその必要に応じて変更できるようにすることが考えられる。しかしながら、このように設定を変更した場合、それが故に本来の異常時において無停電電源装置５２が正常に機能しなくなってしまう恐れがある。
【００１３】
したがって、各ユーザに対して、たとえば無停電電源装置５２の設定をパーソナルコンピュータ上から変更できるような設定プログラムを提供したとしても、十分な知識や経験を具備しない各ユーザにおいてはその設定を適切に変更できるはずもなく、せいぜい図６に示すような１日１回の運転／停止切替が設定可能なレベルである。ここでは、無停電電源装置５２は午前８時から午後１０時まで運転するように設定されている。
【００１４】
本発明は、このように信頼性が要求される無停電電源装置において、無停電電源装置としての信頼性を損なうことなく、消費電力の低減などを可能ならしめる無停電電力供給システム、並びに、設定プログラムおよびこれを記録したコンピュータ読取可能な記録媒体を得ることを目的とする。
【００１５】
【課題を解決するための手段】
上記の課題を解決するために、本発明の無停電電力供給システムは、電源が接続される入力端子に接続されるバイパス配線と、入力端子に入力される電力を、ＡＣ／ＤＣコンバータおよびオンライン配線を介して供給されるＤＣ／ＡＣインバータとの中の一方を選択して、負荷機器が接続される出力端子へ接続する二入力スイッチと、蓄電部材をオンライン配線に接続するオン／オフスイッチとを有し、当該電源の異常時には内部に設けられた蓄電部材からの電力を負荷機器に供給する無停電電源装置と、当該無停電電源装置に入力される電力あるいは出力される電力を時刻情報とともに蓄積する蓄積手段と、当該蓄積手段にて蓄積されたデータを所定の期間を基準として解析し、消費電力が発生している時間帯には、二入力スイッチによりＤＣ／ＡＣインバータを選択するとともにオン／オフスイッチを閉じて蓄電部材をオンライン配線に接続するオンライン運転モードを設定し、更にその消費電力が発生している時間帯の中であって且つ負荷機器の消費電力が低く安定している期間には、二入力スイッチによりＤＣ／ＡＣインバータを選択するとともにオン／オフスイッチを開いた高効率運転モードを設定する解析手段と、を備え、無停電電源装置が、当該解析手段により設定されたモードのデータに基づいて、時間帯別に異なるモードで動作するものである。
【００１６】
この構成を採用すれば、蓄積手段が蓄積した電源および負荷に起因する入力電力あるいは出力電力の変化に基づいて、解析手段が所定の期間を基準として解析し、更に、無停電電源装置のオンライン運転モードおよび高効率運転モードを設定する。しかも、この解析手段が設定したモードは、当該無停電電源装置の特性を理解している技術者あるいはその関係者によって作成されているため、当該無停電電源装置に関する技術的な情報や知識をもたない各ユーザが直接モードを設定する場合に比べて、格段に電源の品質を維持するように設定することができる。したがって、無停電電源装置としての信頼性を損なうことなく、適切なモード切替により蓄電部材の充放電を抑制し、蓄電部材の寿命の延命化や消費電力の低減などを図ることが可能となる。
【００１７】
本発明の他の無停電電力供給システムは、電源と負荷機器との間に接続され、当該電源の異常時には内部に設けられた蓄電部材からの電力を負荷機器に供給する無停電電源装置と、該無停電電源装置に入力される電力あるいは出力される電力を時刻情報とともに蓄積する蓄積手段と、当該蓄積手段にて蓄積されたデータを所定の期間を基準として解析し、入力電圧が一般的な商用電力の電圧よりも恒常的に高くなる時間帯があると判断した場合には、その期間における電圧異常検出範囲をその他の時間帯よりも高めに設定し、あるいは、入力電圧が恒常的に低くなる時間帯があると判断した場合には、その期間における電圧異常検出範囲を低めに設定する解析手段と、を備え、無停電電源装置が、当該解析手段により設定された時間帯の電圧異常検出範囲の検出値に基づいて、時間帯別に異なる電圧範囲を異常と判断するものである。
【００１８】
この構成を採用すれば、蓄積手段が蓄積した電源および負荷に起因する入力電力あるいは出力電力の変化に基づいて、解析手段が所定の期間を基準として解析し、更に、電源の異常状態を検出するための検出値を時間帯別に設定する。しかも、この解析手段が設定した時間帯別の検出値は、当該無停電電源装置の特性を理解している技術者あるいはその関係者によって作成されているため、当該無停電電源装置に関する技術的な情報や知識をもたない各ユーザが設定する場合に比べて、格段に電源の品質を維持するように適切に設定することができる。
【００１９】
したがって、たとえば時間帯毎にたとえば入力電圧が正常に変動したとしてもそれにより無用に蓄電部材から電力を供給してしまうことなく、時間帯毎に入力電圧が異常に変動したときには、それに応じて蓄電部材から電力を供給することができる。無停電電源装置としての信頼性を損なうことなく、たとえば夜間などにおける蓄電部材の無駄な使用回数を削減し、蓄電部材の寿命の延命化や消費電力の低減などを図ることが可能となる。
【００２０】
本発明の設定プログラムは、電源が接続される入力端子に接続されるバイパス配線と、入力端子に入力される電力を、ＡＣ／ＤＣコンバータおよびオンライン配線を介して供給されるＤＣ／ＡＣインバータとの中の一方を選択して、負荷機器が接続される出力端子へ接続する二入力スイッチと、蓄電部材をオンライン配線に接続するオン／オフスイッチとを有し、当該電源の異常時には内部に設けられた蓄電部材からの電力を負荷機器に供給する無停電電源装置に対して設定する、設定データを生成する設定プログラムであって、当該無停電電源装置に入力される電力あるいは出力される電力を時刻情報とともにデータ記憶部にログデータとして蓄積するステップと、当該データ記憶部のログデータを所定の期間を基準として解析し、消費電力が発生している時間帯には、二入力スイッチによりＤＣ／ＡＣインバータを選択するとともにオン／オフスイッチを閉じて蓄電部材をオンライン配線に接続するオンライン運転モードを設定し、更にその消費電力が発生している時間帯の中であって且つ負荷機器の消費電力が低く安定している期間には、二入力スイッチによりＤＣ／ＡＣインバータを選択するとともにオン／オフスイッチを開いた高効率運転モードを設定するステップと、をコンピュータに実現するものである。
【００２１】
この設定プログラムをインストールした機器は、蓄積手段が蓄積した電源および負荷に起因する入力電力あるいは出力電力の変化に基づいて、無停電電源装置のオンライン運転モードおよび高効率運転モードを設定する。しかも、この設定により設定されるモードは、各ユーザが直接モードを設定する場合に比べて、格段に電源の品質を維持するように設定することができる。したがって、無停電電源装置としての信頼性を損なうことなく、蓄電部材の寿命の延命化や消費電力の低減などを図ることが可能となる。
【００２２】
本発明の他の設定プログラムは、電源と負荷機器との間に接続され、当該電源の異常時には内部に設けられた蓄電部材からの電力を負荷機器に供給する無停電電源装置に対して設定する、設定データを生成する設定プログラムであって、当該無停電電源装置に入力される電力あるいは出力される電力を時刻情報とともにデータ記憶部にログデータとして蓄積するステップと、当該データ記憶部のログデータを所定の期間を基準として解析し、入力電圧が一般的な商用電力の電圧よりも恒常的に高くなる時間帯があると判断した場合には、その期間における電圧異常検出範囲をその他の時間帯よりも高めに設定し、あるいは、入力電圧が恒常的に低くなる時間帯があると判断した場合には、その期間における電圧異常検出範囲を低めに設定するステップと、をコンピュータに実現するものである。
【００２３】
この設定プログラムをインストールした機器は、蓄積手段が蓄積した電源および負荷に起因する入力電力あるいは出力電力の変化に基づいて、解析手段が所定の期間を基準として解析し、更に、電源の異常状態を検出するための検出値を時間帯別に設定する。しかも、この解析手段が設定した時間帯別の検出値は、各ユーザが設定する場合に比べて、格段に電源の品質を維持するように適切に設定することができる。したがって、無停電電源装置としての信頼性を損なうことなく、蓄電部材の寿命の延命化や消費電力の低減などを図ることが可能となる。
【００２４】
本発明のコンピュータ読取可能な記録媒体は、電源が接続される入力端子に接続されるバイパス配線と、入力端子に入力される電力を、ＡＣ／ＤＣコンバータおよびオンライン配線を介して供給されるＤＣ／ＡＣインバータとの中の一方を選択して、負荷機器が接続される出力端子へ接続する二入力スイッチと、蓄電部材をオンライン配線に接続するオン／オフスイッチとを有し、当該電源の異常時には内部に設けられた蓄電部材からの電力を負荷機器に供給する無停電電源装置に対して設定する、設定データを生成する設定プログラムを記録したコンピュータ読取可能な記録媒体であって、無停電電源装置から送信された入力電力あるいは出力電力に関するデータを時刻情報とともにデータ記憶部にログデータとして蓄積するステップと、当該データ記憶部のログデータを所定の期間を基準として解析し、データ記憶部に、消費電力が発生している時間帯には、二入力スイッチによりＤＣ／ＡＣインバータを選択するとともにオン／オフスイッチを閉じて蓄電部材をオンライン配線に接続するオンライン運転モードを記憶させ、更にその消費電力が発生している時間帯の中であって且つ負荷機器の消費電力が低く安定している期間には、二入力スイッチによりＤＣ／ＡＣインバータを選択するとともにオン／オフスイッチを開いた高効率運転モードを記憶させるステップと、当該データ記憶部から当該設定データを読出し、これを無停電電源装置へ送信するステップと、をコンピュータに実現するものである。
【００２５】
この設定プログラムをインストールしたコンピュータは、蓄積手段が蓄積した電源および負荷に起因する入力電力あるいは出力電力の変化に基づいて、無停電電源装置のオンライン運転モードおよび高効率運転モードを設定する。しかも、この設定により設定されるモードは、各ユーザが直接モードを設定する場合に比べて、格段に電源の品質を維持するように設定することができる。したがって、無停電電源装置の信頼性を損なうことなく、蓄電部材の寿命の延命化や消費電力の低減などを図ることが可能となる。
【００２６】
しかも、この設定プログラムは、コンピュータ読取可能な記録媒体に格納されているため、無停電電源装置とともに各ユーザへ配布することができ、しかも、無停電電源装置とは別のコンピュータにおいて実行されるようになっているので、無停電電源装置自体にこれを組み込んだ場合よりも安価に良いサービスを提供することができる。
【００２７】
本発明の他のコンピュータ読取可能な記録媒体は、電源と負荷機器との間に接続され、当該電源の異常時には内部に設けられた蓄電部材からの電力を負荷機器に供給する無停電電源装置に対して設定する、設定データを生成する設定プログラムを記録したコンピュータ読取可能な記録媒体であって、無停電電源装置から送信された入力電力あるいは出力電力に関するデータを時刻情報とともにデータ記憶部にログデータとして蓄積するステップと、当該データ記憶部のログデータを所定の期間を基準として解析し、データ記憶部に、入力電圧が一般的な商用電力の電圧よりも恒常的に高くなる時間帯があると判断した場合には、その期間における電圧異常検出範囲をその他の時間帯よりも高めに設定することを記憶させ、あるいは、入力電圧が恒常的に低くなる時間帯があると判断した場合には、その期間における電圧異常検出範囲を低めに設定することを記憶させるステップと、当該データ記憶部から当該設定データを読出し、これを無停電電源装置へ送信するステップと、をコンピュータに実現するものである。
【００２８】
この設定プログラムをインストールしたコンピュータは、蓄積手段が蓄積した電源および負荷に起因する入力電力あるいは出力電力の変化に基づいて、解析手段が所定の期間を基準として解析し、更に、電源の異常状態を検出するための検出値を時間帯別に設定する。しかも、この解析手段が設定した時間帯別の検出値は、各ユーザが設定する場合に比べて、格段に電源の品質を維持するように適切に設定することができる。したがって、無停電電源装置の信頼性を損なうことなく、蓄電部材の寿命の延命化や消費電力の低減などを図ることが可能となる。しかも、この設定プログラムは、コンピュータ読取可能な記録媒体に格納されているため、無停電電源装置自体にこれを組み込んだ場合よりも安価に良いサービスを提供することができる。
【００２９】
【発明の実施の形態】
本発明の実施の形態に係る無停電電力供給システム、並びに、設定プログラムおよびこれを記録したコンピュータ読取可能な記録媒体について図に基づいて説明する。なお、設定プログラムおよびこれを記録したコンピュータ読取可能な記録媒体は、それらのプログラムがコンピュータに既にインストールされているものとして説明する。
【００３０】
図１は本発明の実施の形態１による無停電電力供給システムの一例を示すシステム構成図である。
【００３１】
この無停電電力供給システムは、負荷機器としてのコンピュータ１と、電源としての交流商用電源２と、商用交流電源２とコンピュータ１との間に接続された無停電電源装置３と、を備える。
【００３２】
無停電電源装置３は、商用交流電源２が接続される入力端子４と、コンピュータ１が接続される出力端子５と、リレー式スイッチなどからなり、出力端子５に固定接点６が接続される二入力スイッチ７と、二入力スイッチ７の一方の切替接点８と入力端子４とを接続するバイパス配線（第一の電力供給経路）９と、二入力スイッチ７の他方の切替接点１０に接続される停電時電力供給回路１１と、商用交流電源２の状態を監視し、データ記憶部１２に記憶されている設定データを用いて商用交流電源２の状態などを判断し、更に二入力スイッチ７および停電時電力供給回路１１の動作を制御するマイクロコンピュータ１３と、を備える。なお、二入力スイッチ７と出力端子５との間に、コンピュータ１への電力供給を完全に停止するための図示外の遮断スイッチを設けてもよい。
【００３３】
停電時電力供給回路１１は、バッテリあるいはコンデンサからなる蓄電部材１４と、この蓄電部材１４に蓄電された直流電力を上記商用交流電源２と同様の波形の交流電力に変換するＤＣ／ＡＣインバータ１５と、上記入力端子４から入力された電力の一部を直流電力に変換して出力するＡＣ／ＤＣコンバータ（充電手段）１６と、ＡＣ／ＤＣコンバータ１６の出力とＤＣ／ＡＣインバータ１５の入力とを接続するオンライン配線１７と、リレー式スイッチなどからなり、このオンライン配線１７と蓄電部材１４との間に設けられたオン／オフスイッチ１８と、を備える。なお、このＡＣ／ＤＣコンバータ１６からオンライン配線１７を介してＤＣ／ＡＣインバータ１５までの経路が第二の電力供給経路に相当する。
【００３４】
このようなハードウェア構成の無停電電源装置３では、マイクロコンピュータ１３は、二入力スイッチ７においてバイパス配線９を選択し、これにより商用交流電源２から負荷機器１へ直接に電力を供給させるパイパス運転モードと、二入力スイッチ７においてＤＣ／ＡＣインバータ１５を選択するとともにオン／オフスイッチ１８をオン（接続）状態に設定するオンライン運転モードと、二入力スイッチ７においてＤＣ／ＡＣインバータ１５を選択するとともにオン／オフスイッチ１８をオフ（つまり切断）状態に設定する高効率運転モードと、が設定可能である。
【００３５】
これらの運転モードを比較すると、商用交流電源２の停電検出時に最も早く蓄電部材１４からの電力供給に切り替えることができるのはオンライン運転モードであり、その次に高効率運転モード、最後にパイパス運転モードとなる。逆に、無停電電源装置３の消費電力を最も低く抑えることができるのはパイパス運転モードであり、その次に高効率運転モード、最後にオンライン運転モードとなる。したがって、負荷機器の種類によっては、これらの運伝モードをその必要に応じて切り替えることで、信頼性と、経済性（消費電力の抑制）とを高度に両立させることが可能である。
【００３６】
負荷機器としてのコンピュータ１には、マイクロコンピュータ１３の図示外のポートと接続されるインタフェース部（Ｉ／Ｆ部）１９、制御部２０を備える制御本体２１と、プログラム記憶部２２、データ記憶部２３を備える記憶機器２４と、これらに対して所定の電力を供給する電源ユニット２５と、を備える。そして、この電源ユニット２５には出力端子５が接続されている。
【００３７】
制御部２０は、プログラム記憶部２２に記憶された各種のプログラムを実行することで、Ｉ／Ｆ部１９によるマイクロコンピュータ１３との間でのデータ送受信処理などを制御するものである。
【００３８】
プログラム記憶部２２には、ログ蓄積プログラム２６、ログ解析プログラム２７、転送プログラム２８、などからなる無停電電源装置の転送プログラム、その他のプログラムであって制御部２０が実行するプログラムが記憶されている。データ記憶部２３には、ログデータ２９、設定データ３０、その他のデータであって制御部２０が各プログラムを実行する際に利用する各種のデータが記憶されている。なお、上記無停電電源装置の転送プログラムは、一般的には、図示外のコンピュータ読取可能な記憶媒体に記憶された状態で各ユーザに提供され、当該各ユーザがそれぞれのコンピュータ１にこれをインストールすることで、プログラム記憶部２２に記憶される。
【００３９】
ログデータ２９は、マイクロコンピュータ１３から適宜送信されてきた各種のデータを時間別に記憶したデータである。
【００４０】
設定データ３０は、データ記憶部１２に記憶させ、これを用いてマイクロコンピュータ１３を動作させるためのデータである。
【００４１】
ログ蓄積プログラム２６は、マイクロコンピュータ１３からのデータ送信要求あるいは図示外のタイマなどからの起動要求に基づいて制御部２０にて実行されるものである。そして、このログ蓄積プログラム２６を実行する制御部（蓄積手段）２０は、マイクロコンピュータ１３とデータ通信を行い、その時点においてマイクロコンピュータ１３が収集している各種のデータをその時間情報とともにログデータ２９として追加登録する処理を行う。
【００４２】
ログ解析プログラム２７は、図示外のタイマなどからの起動要求に基づいて制御部２０にて繰り返し実行されるものである。そして、このログ解析プログラム２７を実行する制御部（解析手段）２０は、マイクロコンピュータ１３による最適な動作制御が得られるようにログデータ２９を解析し、これらの解析結果を設定データ３０としてデータ記憶部２３に記憶させる。
【００４３】
転送プログラム２８は、ログ解析プログラム２７からのプログラム間通信あるいはその後のタイマ割り込みなどに基づいて制御部２０にて実行されるものである。そして、この転送プログラム２８を実行する制御部（転送手段）２０は、マイクロコンピュータ１３とデータ通信を行い、データ記憶部２３に設定データ３０として記憶されている各種のデータをマイクロコンピュータ１３のデータ記憶部１２へ記憶させる処理を行う。
【００４４】
次に動作について説明する。
【００４５】
無停電電力装置３の入力端子４に商用交流電源２を接続し、出力端子５に負荷機器としてのコンピュータ１を接続する。この電源投入時の初期状態においては、無停電電力装置３は、通常、停電時に最大の能力が発揮されるように、オンライン運転モードに設定されている。
【００４６】
これにより、商用交流電源２から供給されている交流電力は、入力端子４、ＡＣ／ＤＣコンバータ１６、オンライン配線１７、ＤＣ／ＡＣインバータ１５、二入力スイッチ７、出力端子５を介して、コンピュータ１の電源ユニット２５に供給される。そして、この電源ユニット２５から供給される電力によって制御本体２１や記憶機器２４は動作を開始する。また、ＡＣ／ＤＣコンバータ１６から出力された直流出力は、オン／オフスイッチ１８を介して蓄電部材１４に供給され、蓄電部材１４は充電される。
【００４７】
マイクロコンピュータ１３は、このような状態において、入力端子４に入力される交流電力の電圧や周波数などを監視し、これが商用交流電源２の規格（たとえば「１００ｖ＆ｐｌｕｓｍｎ；１０％」などの電圧異常検出範囲）を満たしたものであるか、あるいは、過負荷となっていないか、などの電力品質の異常を検出する処理を非常に短い周期毎に実施する。なお、電圧異常検出範囲などのデータはデータ記憶部に設定データ３０として記憶されている。
【００４８】
そして、たとえば入力電圧が電圧異常検出下限レベル（たとえば「１００ｖ−１０％」）よりも低くなってしまうような停電が発生すると、マイクロコンピュータ１３はこれを検出し、二入力スイッチ７をその一方の切替接点８から他方の切替接点１０へ切替える。これにより、蓄電部材１４に蓄電された電力をＤＣ／ＡＣインバータ１５にて交流電源に変換した蓄電電力が、出力端子５を介してコンピュータ１に供給され、商用交流電源２が異常であるにも拘わらず、コンピュータ１は蓄電電力に基づいて正常に動作を継続することができる。
【００４９】
また、その後、入力電圧が電圧異常検出下限レベルよりも高い電圧にて安定したら、マイクロコンピュータ１３はこれを検出し、二入力スイッチ７を他方の切替接点１０から一方の切替接点８へ戻す処理を行う。これにより、商用交流電源２からの交流電力によってコンピュータは動作し、且つ、蓄電部材１４は充電される。
【００５０】
このような入力電力などの監視処理や、停電時の電力供給源の切替処理がマイクロコンピュータ１３の制御の下で無停電電源装置３においてなされる一方で、コンピュータ１の制御部２０は、マイクロコンピュータ１３からのデータ送信要求あるいは図示外のタイマなどからの起動要求に基づいてログ蓄積プログラム２６を実行し、マイクロコンピュータ１３が収集した各種のデータをその時間情報とともにログデータ２９としてデータ記憶部２３へ記憶させる。
【００５１】
これにより、データ記憶部２３には、入力電圧、入力周波数、出力電圧、出力周波数などを所定の時間毎にサンプリングしたログデータ２９が蓄積されることになる。
【００５２】
また、制御部２０は、タイマなどからの起動要求に基づいてログ解析プログラム２７を繰り返し実行する。そして、このログ解析プログラム２７を実行する制御部２０は、ユーザに応じた最適な無停電電力供給処理が得られるようにログデータを解析し、これらの解析結果を設定データ３０としてデータ記憶部２３に記憶させる。
【００５３】
具体的には、まず、本実施の形態では、マイクロコンピュータ１３には入力端子４に入力される交流電力の電圧や周波数に関する情報や、出力端子５の電圧や周波数に関する情報を取得させ、ログ解析プログラム２７を実行する制御部２０は、予めユーザに入力させておいた負荷の重要度合い、すなわちどの程度の瞬時停電が許容されるのかに応じて、たとえば１日や１週間などの期間を単位として上記ログを解析し、これに基づいて運転モードをたとえば１時間単位で最適化する運転スケジュールデータを生成する。なお、この解析において環境温度などのその他の環境情報などを適宜参酌してもよい。
【００５４】
たとえば、停電が全く許容されないとの設定である場合には、常にオンライン運転モードで動作させる運転スケジュールデータを生成する。つまり、他のモードへの切替えはしない設定とする。
【００５５】
逆に、瞬時停電が許容され、且つ、昼間にしか負荷機器としてのコンピュータ１を使用していない場合のように、消費電力のログデータに基づいて夜間の時間帯において消費電力が恒常的に発生していないと判断できる場合には、消費電力が発生している昼間などの時間帯にはオンライン運転モードあるいは高効率運転モードを設定し、発生していない夜間などの時間帯にはパイパス運転モードあるいは停止を設定する。図２においては、午前８時から午後１０時までがオンライン運転モードに設定され、それ以外の時間は停止に設定されている。
【００５６】
更に、瞬時停電が許容され、且つ、昼食時などのように負荷機器（コンピュータ１）の消費電力が低く安定している期間が、消費電力のログデータに基づいて同一時間帯において繰り返し発生していると判断できる場合には、その時間帯において高効率運転モードとする。図２においては、午前１２時から午後１時までが高効率運転モードに設定されている。
【００５７】
これらの設定により、無停電電源装置３の消費電力を、ユーザの負荷機器（コンピュータ１）の利用状況に応じて変更することができ、無停電電源装置３の信頼性と、経済性を高度に両立させることができる。
【００５８】
この実施の形態では、ほかにも、マイクロコンピュータ１３には入力端子４に入力される交流電力の電圧や周波数に関する情報や、出力端子５の電圧や周波数に関する情報を取得させ、ログ解析プログラム２７を実行する制御部２０は、たとえば１日や１週間などの期間を単位としてログデータ２９を解析し、これに基づいて電源異常検出範囲をたとえば１時間単位で最適化する検出レベルスケジュールデータを生成する。なお、環境温度などのその他の環境情報などを適宜参酌してもよい。
【００５９】
負荷機器に対して交流電力を供給する場合、一般的に、負荷機器の数の増減などによって負荷の電気的特性が変化し、交流電力の電圧レベルや周波数も変化する。したがって、電力会社では、過去のデータに基づいてこのような負荷変動を予測し、商用電力の品質を一定のものに保つように制御を行っている。しかしながら、工場内発電所などにおいては、負荷が所定の状態で稼動している状態を前提として設計することが多く、そのため、このような交流電力の電圧レベルや周波数を一定に保つための制御設備が備わっていない場合も多い。その結果、工場内発電所から供給される電力は、上記負荷機器が稼動している昼間と、停止している夜間とでは大きく変動してしまうことがある。
【００６０】
そして、たとえば、入力電圧のログデータに基づいて入力電圧が一般的な商用電力の電圧よりも恒常的に高くなる時間帯があると判断した場合には、その期間における電圧異常検出範囲をその他の時間帯よりも高めに設定する。また、恒常的に低くなる時間帯があると判断した場合には、その期間における電圧異常検出範囲を低めに設定する。図３においては、通常は「１００Ｖ＆ｐｌｕｓｍｎ；１０％」に設定される電圧異常検出範囲が、夜８時から朝６時までは電圧異常検出の上限レベルが「１００Ｖ＋２０％」に設定変更されている。なお、このようにレンジ（プラスマイナスの範囲）を広げるのではなく、センター値（この例では１００Ｖ）を調整してもよい。
【００６１】
これらの設定により、入力端子４に入力される交流電力の電圧変化に応じて、当該入力電圧と各検出電圧とのマージンを適切に確保することができ、たとえば、夜間において何の問題もない瞬時的な電圧変化などに基づいて蓄電部材１４からの電力供給に切り替わってしまうことを防止することができる。これにより、蓄電部材１４の無駄な使用回数を削減し、蓄電部材１４の寿命を延命化させることができる。
【００６２】
また、コンピュータ１の制御部２０は、ログ解析プログラム２７のプログラム間通信あるいはその後のタイマ割り込みなどに基づいて転送プログラム２８を実行する。データ記憶部２３に記憶されている各種の設定データ３０をマイクロコンピュータ１３のデータ記憶部１２へ転送して記憶させる。
【００６３】
なお、この転送プログラム２８による設定データ３０のデータ記憶部１２への転送の際には、その処理に先立ってユーザに問い合わせるようにしたほうがよい。これにより、ユーザ自身がその責任の下で最適化されたデータを利用することができる。
【００６４】
これにより、マイクロコンピュータ１３は、ログデータ２９に基づいて最適化された新たな設定データ３０に基づいて、それぞれの運転モードにて動作するとともに、入力端子４に入力される入力電圧などを周期的に監視し、それらに異常が生じれば二入力スイッチ７を他の選択接点１０に切り替える処理を行う。
【００６５】
以上の実施の形態は、本発明の好適な実施の形態であるが、発明の要旨を逸脱しない範囲にて適宜変更実施可能である。たとえば、この実施の形態では、出力端子５に接続された負荷機器（コンピュータ１）において、ログデータ２９を生成し、且つ、このログデータ２９に基づいて各種の設定データ３０を生成するようにしているが、負荷機器とは別体の装置において同様の処理を実施しても、更には、無停電電源装置３内にて同様の処理を行うようにしてもよい。
【００６６】
ただし、本実施の形態のように、無停電電源装置３とは別の装置上で動作するプログラムとして、上記ログ蓄積プログラム２６、ログ解析プログラム２７および転送プログラム２８を備える無停電電源装置３の設定プログラムを提供することにより、無停電電源装置３自体のハードウェアを変更することなく、安価に（高い経済性にて）上述したきめの細かいサービスを提供することが可能である。
【００６７】
また、一般的に販売されている無停電電源装置３においては、短い周期において繰り返し電源を監視しなければならず、しかも、このような目的のために使用されている現状のマイクロコンピュータの処理能力を考え合わせると、無停電電源装置３内にて同様の処理を行う場合においては、マイクロコンピュータ１３とは別に新たに制御部としてのマイクロコンピュータを組み込むようにした方がよい。これにより、無停電電源装置３の本来の機能（監視機能など）を損なうことなく、最適化することができる。
【００６８】
また、この実施の形態では、入力端子４に入力される交流電力と、出力端子５から出力する負荷電力との情報に基づいて、各種の設定データ３０を求めているが、このほかにも温度や湿度などの環境データなどを用いてこれらを求めるようにしてもよい。特に、上記以上電圧検出範囲の設定値を求める場合のように、ログデータ２９に基いて絶対値などを設定する場合には、このような環境データを用いて各時刻のログデータ２９を補正した上で演算処理に利用するとよい。なお、ここで使用する環境データは、無停電電源装置３に組み込んだ図示外のセンサにて検出しても良いが、コンピュータ１側において図示外のインターネット上の気象情報サービスなどから取得するようにしてもよい。
【００６９】
【発明の効果】
本発明では、このように信頼性が要求される無停電電源装置において、無停電電源装置としての信頼性を損なうことなく、消費電力の低減などを可能ならしめる無停電電力供給システム、並びに、設定プログラムおよびこれを記録したコンピュータ読取可能な記録媒体を得ることができる。
【図面の簡単な説明】
【図１】  本発明の実施の形態１による無停電電力供給システムの一例を示すシステム構成図である。
【図２】  図１の無停電電力供給システム中の、無停電電源装置の運転モードの設定スケジュールの一例を示す図である。
【図３】  図１の無停電電力供給システム中の、無停電電源装置の入力電圧の電圧異常検出範囲の設定スケジュールの一例を示す図である。
【図４】  従来の無停電電力供給システムの一例を示すシステム構成図である。
【図５】  工場内発電所から供給される電力の、１日当たりの電圧レベルの変化を示す説明図である。
【図６】  ユーザが設定可能な、１日当たりの無停電電源装置の運転例を示す説明図である。
【符号の説明】
１  コンピュータ（負荷機器）
２  交流商用電源（電源）
３  無停電電源装置
４  入力端子
５  出力端子
６  固定接点
７  二入力スイッチ
８  一方の切替接点
９  バイパス配線（第一の電力供給経路）
１０  他方の切替接点
１１  停電時電力供給回路
１２  データ記憶部
１３  マイクロコンピュータ
１４  蓄電部材
１５  ＤＣ／ＡＣインバータ（第二の電力供給経路）
１６  ＡＣ／ＤＣコンバータ（充電手段、第二の電力供給経路）
１７  オンライン配線（第二の電力供給経路）
１８  オン／オフスイッチ
１９  インタフェース部（Ｉ／Ｆ部）
２０  制御部
２１  制御本体
２２  プログラム記憶部
２３  データ記憶部
２４  記憶機器
２５  電源ユニット
２６  ログ蓄積プログラム
２７  ログ解析プログラム
２８  転送プログラム
２９  ログデータ
３０  設定データ
【図１】
0003767795.tif 000002
【図２】
0003767795.tif 000003
【図３】
0003767795.tif 000004
【図４】
0003767795.tif 000005
【図５】
0003767795.tif 000006
【図６】
0003767795.tif 000007